(57)【要約】      （修正有）【課題】携帯端末等を収納するマルチカバーを提供する。【解決手段】マルチカバーは、携帯端末等を収納できるポケット構造を有し、開口部を有する中空の袋構造を備え、２つ折り又は３つ折り以上に折りたためる。ポケット構造は収納した状態でタッチパネル操作可能な透明シートを表面に使用している。【選択図】図１
0003181883.tif 000002
【実用新案登録請求の範囲】
【請求項１】
携帯端末や携帯カメラの収納が可能な開口部を有する中空のポケット構造を備えたマルチカバーであって、２つ又は３つ以上に折りたためることを特徴とするマルチカバー。
【請求項２】
前記マルチカバーは、更に開口部を有する中空の袋構造を備えていることを特徴とする請求項１に記載のマルチカバー。
【請求項３】
前記ポケット構造は、収納した状態でタッチパネル操作可能な透明シートを表面に使用していることを特徴とする請求項１乃至請求項２のいずれか１項に記載の収納容器付きマルチカバー。
【請求項４】
前記マルチカバーは、２つ又は３つ以上に折りたたんだ状態で、カバーが容易に開かないように、マルチカバーに帯留め構造が備わっていることを特徴とする請求項１乃至請求項３のいずれか１項に記載の収納容器付きマルチカバー。
【請求項５】
前記マルチカバーは、２つ又は３つ以上に折りたたんだ状態で、カバーが容易に開かないように、マルチカバー内部に磁石が備わっていることを特徴とする請求項１乃至請求項４のいずれか１項に記載の収納容器付きマルチカバー。
【考案の詳細な説明】
【技術分野】
【０００１】
本考案は、携帯端末や携帯カメラの収納カバーに関するものである。
【背景技術】
【０００２】
従来、携帯端末や携帯カメラを収納しうるカバーは不使用時に収納しておき、埃が付かないようにするためだけの全体を覆う袋に過ぎなかった。また、持ち運びには、ビジネスバッグやハードカバーケースを使用することが主流である。
【特許文献１】特開２００９−２０７８６２
【非特許文献２】実願２０１１−１３２２
【考案の開示】
【考案が解決しようとする課題】
【０００３】
しかしながら、携帯端末や携帯カメラの収納スペースを維持しつつ別機能を充実させたカバーはあまり多くなかった。
【０００４】
また、２つ折りや３つ折りの状態で携帯端末等を収納しても、該折りたたんだ状態を保持するための手段や、別途袋部分を設けたり、収納した状態でも使用できる特殊フィルムを備えたりするため工夫されたものは少なかった。
【０００５】
本考案は、上記問題を解決するため成されたもので、携帯端末等を収納するマルチカバーを提供する。
【課題を解決するための手段】
【０００６】
携帯端末等を収納できるポケット構造を有し、２つ折り又は３つ折り以上に折りたためる構造のマルチカバーに、別途、開口部を有する袋構造、収納した状態でタッチパネル操作可能シート張り合わせ構造、折りたたみ保持構造のいずれか或いはこれらの構造を組み合わせたマルチカバーとする。
【考案の効果】
【０００７】
本考案によれば、携帯端末等を収納しつつ、別途収納スペースにものを入れられ、パネル操作を可能にし、不使用時にむやみに折りたたみがほどけることが無くなる。
【考案を実施するための最良の形態】
【０００８】
携帯端末等を収納できるポケット構造を有した、２つ折り又は３つ折り以上に折りたためるマルチカバーとする。該カバーに用途に応じて別途袋構造、収納した状態でタッチパネル操作可能透明シート張り合わせ構造、折りたたみ保持構造のいずれか或いはこれらの構造を組み合わせたマルチカバーとする。
【実施例１】
【０００９】
以下、図面を参照して本考案に係るマルチカバーの実施例を説明する。図１は、本考案に係る２つ折りタイプマルチカバーの実施例図である。図２は、本考案に係るフラップ付きタイプのマルチカバーの実施例図である。また、図３は、本考案に係る透明シート張りタイプのマルチカバーの実施例図である。
【００１０】
まず図１に示すように、略長方形のカバー素材を２枚重ね合わせて４辺の内、１辺が開口部となるよう残りの３辺を圧着、縫い付け等の手段で封鎖し、中空の袋構造のカバーを形成する。
【００１１】
このとき、該カバーの４隅に磁力体５を備え、２つ折りにした時に、開口部１０を有する辺と、該辺に対向する辺とが磁力により吸着することで、折りたたんだ状態が保持される構造とする。
【００１２】
そして、袋構造のカバーの表面上に、開口部７を有する中空のポケット構造２を備えることで、携帯端末等収納スペースを形成し、マルチカバー１を完成させる。該マルチカバーは、２つ折りにした時に、収納した携帯端末や携帯カメラが挟まれる構造とする。
【００１３】
ここで、更に開口部７を有する中空のポケット構造２の内側に、例えば、磁石等の磁力体４を備え、該磁力体４に対向する中空の袋構造側にも別途磁力体４を備えることで、磁力による吸着により、該ポケット構造２内に収納した携帯端末等がむやみに飛び出さないようにしても構わない。
【００１４】
また、中空の袋構造の開口部１０付近に取手口８を備えておけば、携帯端末等の収納、未収納にかかわらず、持ち運びに便利なバッグとして利用が可能となる。
【実施例２】
【００１５】
本実施例は、実施例１で述べたマルチカバーのうち、取手口８に代えてフラップ部分９を開口部１０に延設したものである。
【００１６】
この場合、図２のように、フラップ部分９を含む３つ折り状態で収納可能となり、このとき、フラップ部分９の両端に磁力体４を備えておくことで、折りたたみ保持構造となる。
【００１７】
また、開口部１０より書類などを収納した場合は、フラップ部分９の両端の磁力体４を、開口部１０の両端に備えた磁力体４に重ねることで、別態様の実施が可能となる。
【実施例３】
【００１８】
本実施例は、略長方形のカバー体に携帯端末６等が収納しうるポケット構造を備え、該ポケットは、収納した状態でタッチパネル操作可能な例えば通電性を有するＰＶＣ（ポリ塩化ビニル）等の透明シート３を表面に使用する。
【００１９】
また、図３のように、磁力体に代えて、帯留めすることで、折りたたみ保持を可能にする。本実施例では、帯留め５構造は弾性体のゴムを使用するが、ベルトや紐で結んでも構わない。
【００２０】
なお、実施例１乃至実施例３で述べた各マルチカバーの大きさは、市販の携帯端末等の大きさを基準にして、まず該携帯端末等を収納できるポケットの大きさを決め、次に全体のカバーの大きさを決めていけばよく、特に限定するものではない。
【００２１】
また、カバー素材も、２つ折り又は３つ折り以上に折りたためる素材であれば特に限定しない。例えば、合成皮革、皮革、布地、樹脂素材であっても良い。
【００２２】
このように、好ましい実施例を挙げて本考案を説明したが、本考案はその実施例に限定されるものではなく、本考案の要旨の範囲内で種々に組み合わせや改変できる。
【図面の簡単な説明】
【００２３】
【図１】本考案に係る２つ折りタイプマルチカバーの実施例図である。
【図２】本考案に係るフラップ付きタイプのマルチカバーの実施例図である。
【図３】本考案に係る透明シート張りタイプのマルチカバーの実施例図である。
【符号の説明】
【００２４】
１  マルチカバー
２  ポケット構造（携帯端末等収納スペース）
３  シート
４  磁力体
５  帯留め
６  携帯端末等
７  開口部
８  取手口
９  フラップ部分
１０  開口部
【図１】
0003181883.tif 000003
【図２】
0003181883.tif 000004
【図３】
0003181883.tif 000005